(57)【特許請求の範囲】
【請求項１】
発光部に装脱着可能で、前記発光部の発光窓部前方に装着されることにより前記発光窓部を介して射出される光を制御する補助光学部材を備えたストロボ装置であって、前記補助光部材は前記発光窓部を被う形状を呈し前記発光窓部を介して射出される光を制御する光学部と、前記光学部の相対向する端部の全幅から前記発光窓部方向に一体的に延出して形成されると共に、係止突起が設けられた一対の保持部とを備えた略コ字形状の断面を有して形成され、前記発光部の外壁を構成する外部筐体に前記係止突起と嵌合することにより前記補助光学部材を、前記発光窓部前方に装着するための一対の第１係止凹部と前記発光部上方に装着するための一対の第２係止凹部とを備えたことを特徴とするストロボ装置。
【発明の詳細な説明】
【０００１】
【発明の属する技術分野】
本発明は、写真撮影の際に被写体を照明する人工光源として使用されるストロボ装置に関し、特に発光部から射出される光の照射角度を制御する補助光学部材を使用するストロボ装置に関するものである。
【０００２】
【従来の技術】
従来より、写真撮影の際に被写体を照明する人工光源としてストロボ装置は周知であり、その照明光の照射角度を可変する手段も種々実用化されている。
例えば、反射傘と光源とからなる発光ユニットと該ユニットの前方の装置本体内に配置された光学部材との相対位置関係を発光ユニットもしくは光学部材の少なくともどちらか一方を移動させて可変制御する手段や、光源と光学部材との相対位置関係を少なくとも両者のどちらか一方を移動させて可変制御する手段、あるいは光学部材の前方にさらに別の補助光学部材を装着、使用する手段等、種々の照射角度可変手段が提案、あるいは実用化されている。
【０００３】
ところで、装置本体内に配置されている光学部材とは別の補助光学部材を使用する照射角度可変手段を構成する具体構成としては、補助光学部材を装置本体内に移動できるように内蔵することにより装置本体と略一体化して設けておき、必要時に発光窓部の前方に位置するように移動させて使用する一体化構成（実開昭５５−１６２２２７号，実開平６−２３４５号等）や、あるいは補助光学部材を装置本体とは独立した全く別個の部品としておき、必要時にその独立している補助光学部材を装置本体に装着して使用する独立構成が周知である。
【０００４】
【発明が解決しようとする課題】
上述した装置本体内の光学部材とは別の補助光学部材を使用する照射角度可変手段の具体構成の内、一体化構成は、独立構成に比して補助光学部材を使用したい時即座に使用できると共に補助光学部材を紛失する恐れがない等の優位点を有することになるが、補助光学部材を移動できるように略一体化するための移動構成を形成するためのスペースを必要とし、装置形状の大型化やともすればコスト上昇を生じてしまう恐れを有している。
【０００５】
一方、独立構成は、一体化構成に比して紛失の恐れがある等の不利点を有するものの補助光学部材を移動させるための移動構成は必要なく、装置の本体形状を小型化できる優位点を有している。
しかしながら、独立構成は、例えば補助光学部材を使用しての撮影と使用しない撮影を混在させて行うような場合、以下のような不都合点を有している。
【０００６】
すなわち、独立構成は補助光学部材を使用しない時、当該補助光学部材を装置本体から脱着して所定の場所や撮影者の衣服のポケット等の適宜の収納場所に収納することになり、したがって上記のような使用状態の場合、使用する毎に上記収納場所からの発光部への装着作業を必要とし、撮影操作性の面では依然として良いとはいえない不都合点を有していた。
【０００７】
本発明は、上記独立構成による照射角度可変手段における不都合点を考慮してなしたもので、補助光学部材を発光窓部の前方に装着した第１装着状態を形成する第１装着手段と、上記発光窓部の前方から脱着された上記補助光学部材を上記発光窓部の前方を除く発光部を含む装置本体の適宜位置に装着した第２装着状態を形成する第２装着手段を備えたストロボ装置を提供することを目的とする。
【０００８】
【課題を解決するための手段】
本発明によるストロボ装置は、発光部に対して装脱着され、この発光部の発光窓部の前方に装着されることにより上記発光窓部を介して射出される光の照射角度を制御する補助光学部材を使用するストロボ装置であって、上記補助光学部材を上記発光窓部の前方に装着した第１装着状態を形成する第１装着手段と、上記発光窓部の前方から脱着された上記補助光学部材を上記発光窓部の前方を除く上記発光部を含む装置本体の適宜位置に装着した第２装着状態を形成する第２装着手段とを備えて構成したものである。
【０００９】
これにより、補助光学部材を使用しない時、当該補助光学部材を第２装着手段を介して装置本体に装着することができ、すなわち補助光学部材を使用しない時に所定の場所や撮影者の衣服のポケット等の特別な収納場所に収納する必要がなく、この結果、補助光学部材を使用する撮影と使用しない撮影を混在させて行う場合においても補助光学部材の装置本体に対する装脱着作業だけで当該補助光学部材の使用状態あるいは不使用状態を設定することができる操作性の良いストロボ装置を得ることができる。
【００１０】
【発明の実施の形態】
本発明による請求項１に記載の発明は、発光部に装脱着可能で、前記発光部の発光窓部前方に装着されることにより前記発光窓部を介して射出される光を制御する補助光学部材を備えたストロボ装置であって、前記補助光部材は前記発光窓部を被う形状を呈し前記発光窓部を介して射出される光を制御する光学部と、前記光学部の相対向する端部の全幅から前記発光窓部方向に一体的に延出して形成されると共に、係止突起が設けられた一対の保持部とを備えた略コ字形状の断面を有して形成され、前記発光部の外壁を構成する外部筐体に前記係止突起と嵌合することにより前記補助光学部材を、前記発光窓部前方に装着するための一対の第１係止凹部と前記発光部上方に装着するための一対の第２係止凹部とを備えてストロボ装置を構成したものであり、上記第１係止凹部、第２係止凹部装着手段に基づく上記補助光学部材の装置本体に対する装脱着作業だけで当該補助光学部材の使用状態あるいは不使用状態を設定できるという作用を有する。
【００１３】
以下、本発明の実施の形態について図１から図４を用いて説明する。
（実施の形態１）
図１は、本発明によるストロボ装置の一実施の形態を示す略外観斜視図、図２は図１中に符号８で示した補助光学部材の略断面図、図３、図４は、同一実施の形態の動作を説明するための略外観斜視図を夫々示している。
【００１４】
本実施の形態のストロボ装置の装置本体１は、図示していないカメラの取付けシュー部に装着されるシュー部３を下方に備えると共に図示していない電源を含む電気回路構成を内蔵した本体部２、内部に図示していない光源、反射傘等を内蔵し光源の発する光を発光窓部５から外部に射出する発光部４を含んでいる。
発光部４の側端面には、後述する補助光学部材８を発光部４に装着するために機能する一対の係止凹部６と一対の係止凹部７が形成されている。
【００１５】
補助光学部材８は、発光部４の発光窓部５を覆う形状を呈し発光窓部５の前方に位置することにより発光窓部５から射出された光の射出方向を制御して外部に射出する光学部８Ａと、該光学部８Ａの相対向する端部から発光窓部５方向に一体的に延出して形成された一対の保持部８Ｂとを備えて略コ字形状の断面を有して形成されている。
【００１６】
補助光学部材８の一対の保持部８Ｂの相対向する面には、図２の略断面図にも示したように第１保持構成である一対の係止突起９が設けられている。
この第１保持構成である一対の係止突起９は、装置本体１を構成する発光部４の側端面に形成されている夫々一対の係止凹部６、７の夫々に対して嵌合できるように構成されている。すなわち、係止凹部６、７は、第１保持構成である一対の係止突起９に対する本発明における第２保持構成として設けられている。
【００１７】
次に、上述したような構成を備えた本実施の形態のストロボ装置の動作について図３、図４に示した略外観斜視図を参照して説明する。
図３は、補助光学部材８の保持部８Ｂに設けられた一対の係止突起９を、装置本体１を構成する発光部４の側端面に形成されている係止凹部６と係合させることにより、補助光学部材８を装置本体１に、光学部８Ａが発光部４の発光窓部５の前方に位置するように装着した第１装着状態を示している。すなわち、第１保持部８Ｂに設けられた一対の係止突起９と発光部４の側端面に形成されている係止凹部６とが本発明における第１装着手段を構成する。
【００１８】
したがって、発光部４の発光動作により発光窓部５から射出される光は、補助光学部材８の光学部８Ａに入射し、この光学部８Ａにより光学的に制御された後に外部に射出される。例えば、光学部８Ａの光学特性を発光窓部５を介して入射される光を拡散する光学特性としておくことにより、発光窓部５のみを介して射出される光の照射角度より広い照射角度での照明状態を設定し、より焦点距離の短い撮影レンズを用いての撮影に対応することができる。
【００１９】
図４は、図３に示したような状態から補助光学部材８を発光部４から一旦取外した後、保持部８Ｂに設けられた一対の係止突起９を、装置本体１を構成する発光部４の側端面に形成されている係止凹部７と係合させることにより、補助光学部材８を、光学部８Ａが発光部４の発光窓部５の前方に位置しない状態で装置本体１に装着した第２装着状態を示している。すなわち、保持部８Ｂに設けられた一対の係止突起９と発光部４の側端面に形成されている係止凹部７とが本発明における第２装着手段を構成する。
【００２０】
したがって、発光部４の発光動作により発光窓部５から射出される光は、補助光学部材８の光学部８Ａによる制御を受けることなく外部に射出される。
上述したように、本発明によるストロボ装置は、第１、第２装着手段に基づく補助光学部材８の装置本体１に対する装脱着作業だけで補助光学部材８を使用しての光学的制御状態、あるいは使用しない光学的非制御状態を設定できる。
【００２１】
なお、図４に示した光学的補助部材８を使用しない状態をストロボ装置自体の不使用状態としても見做せることはいうまでもない。
また、図示した実施の形態においては、第１、第２装着手段を形成する第１保持構成と第２保持構成として、一対の係止突起９と夫々一対の係止凹部６、７を採用しているが、例えば保持部８Ｂの発光部４に対する弾性力の設定等によっては夫々１個の係止突起および係止凹部の組合せとすることもできる。
【００２２】
さらに、第２保持構成として係止凹部６、７の２組を採用しているが、例えば係止突起９を半球形状等の所定形状とすることにより、１組の半球形状等の所定形状係止凹部にて先の係止凹部６、７を兼用させることもできる。
【００２３】
【発明の効果】
以上述べてきたように、本発明は、補助光学部材を使用しない時、当該補助光学部材を第２装着手段を介して装置本体に装着することができ、すなわち補助光学部材を使用しない時に所定の場所や撮影者の衣服のポケット等の特別な収納場所に収納する必要がなく、この結果、補助光学部材を使用する撮影と使用しない撮影を混在させて行う場合においても補助光学部材の装置本体に対する装脱着作業だけで当該補助光学部材の使用状態あるいは不使用状態を設定することができる操作性の良いストロボ装置を得ることができる効果を有している。
【図面の簡単な説明】
【図１】本発明によるストロボ装置の一実施の形態を示す略外観斜視図
【図２】図１において符号８で示した補助光学部材の略断面図
【図３】同一実施の形態の動作を説明するための略外観斜視図
【図４】同一実施の形態の動作を説明するための略外観斜視図
【符号の説明】
１  装置本体
２  本体部
３  シュー部
４  発光部
５  発光窓部
６  係止凹部
７  係止凹部
８  補助光学部材
８Ａ  光学部
８Ｂ  保持部
９  係止突起
【図１】
0003961101.tif 000002
【図２】
0003961101.tif 000003
【図３】
0003961101.tif 000004
【図４】
0003961101.tif 000005